(57)【要約】【課題】他の作業者との円滑なコミュニケーションを支援する。【解決手段】管理サーバ１２は、作業者の作業状態と、作業者に対するコミュニケーションのし易さを表すコミュニケーションレベル及び作業状態に対応するコミュニケーション手段の少なくとも一方と、の対応関係を表すコミュニケーションレベル情報を作業者毎に管理する管理部２０と、作業者の作業状態を取得して更新する更新部２２と、更新部２２が更新した作業者の作業状態に対応するコミュニケーションレベル及びコミュニケーション手段の少なくとも一方を送信する送信部２４と、を備える。【選択図】図２
2019185108.tif 000002
【特許請求の範囲】
【請求項１】
作業者の作業状態と、前記作業者に対するコミュニケーションのし易さを表すコミュニケーションレベル及び前記作業状態に対応するコミュニケーション手段の少なくとも一方と、の対応関係を表すコミュニケーションレベル情報を作業者毎に管理する管理部と、
前記作業者の作業状態を取得して更新する更新部と、
前記更新部が更新した前記作業者の作業状態に対応する前記コミュニケーションレベル及び前記コミュニケーション手段の少なくとも一方を送信する送信部と、
を備えたコミュニケーション支援装置。
【請求項２】
前記更新部は、前記作業者が使用する電子機器の状態を取得し、取得した前記作業者が使用する電子機器の状態に基づいて、前記コミュニケーションレベル及び前記作業状態に対応するコミュニケーション手段の少なくとも一方を更新する
請求項１記載のコミュニケーション支援装置。
【請求項３】
前記電子機器は、前記作業者が使用する作業用端末装置であり、
前記更新部は、前記作業用端末装置の操作部の操作頻度を前記作業状態として取得する
請求項２記載のコミュニケーション支援装置。
【請求項４】
前記電子機器は、前記作業者が使用する作業用端末装置であり、
前記更新部は、前記作業用端末装置と他の作業用端末装置との通信状態を前記作業状態として取得する
請求項２記載のコミュニケーション支援装置。
【請求項５】
前記電子機器は、前記作業者が使用する携帯端末装置であり、
前記更新部は、前記携帯端末装置と他の携帯端末装置との通信状態を前記作業状態として取得する
請求項２記載のコミュニケーション支援装置。
【請求項６】
前記電子機器は、前記作業者が使用する作業用端末及び携帯端末装置を含み、
前記更新部は、前記携帯端末装置が前記作業用端末と通信不可の場合は、前記コミュニケーション手段として前記作業用端末による通信を除外する
請求項２記載のコミュニケーション支援装置。
【請求項７】
前記コミュニケーションレベルの設定を受け付ける受付部
を備えた
請求項１〜６の何れか１項に記載のコミュニケーション支援装置。
【請求項８】
前記受付部は、前記コミュニケーションレベルの設定を受け付けてから予め定めた時間が経過した場合に、受け付けた前記コミュニケーションレベルの設定を解除する
請求項７記載のコミュニケーション支援装置。
【請求項９】
前記コミュニケーションレベル情報は、前記作業者毎のスケジュール情報を含み、
前記更新部は、前記作業者のスケジュールから前記作業状態を取得し、
前記管理部は、前記作業者が使用する業務用端末装置又は携帯端末装置から前記スケジュールの変更が要求された場合は、前記スケジュール情報を変更する
請求項１〜８の何れか１項に記載のコミュニケーション支援装置。
【請求項１０】
コンピュータを、請求項１〜９の何れか１項に記載のコミュニケーション支援装置の各部として機能させるためのコミュニケーション支援プログラム。
【発明の詳細な説明】
【技術分野】
【０００１】
本発明は、コミュニケーション支援装置及びコミュニケーション支援プログラムに関する。
【背景技術】
【０００２】
特許文献１には、テレワーカが他のテレワーカの行動状況を把握し、相手の状況に合わせたコミュニケーション方法の選択を容易にすることを可能とする、遠隔コミュニケーション支援システムにおいて、テレワーカのプロファイル情報、テレワーク作業履歴を含むスキル情報、テレワーカのスケジュール情報、およびテレワーク作業内容に関する情報を記録するデータベースを管理する管理サーバと、他のテレワーカの状況を表示する機能を具備するコミュニケーション支援端末と、テレワーク作業に使用するテレワーク作業端末と、コミュニケーション支援端末とテレワーク作業端末を外部ネットワークに接続するための通信ゲートウェイとで構成されるコミュニケーション支援システムであって、管理サーバは、テレワーカのプロファイル、スキル情報、スケジュール情報およびテレワーク作業内容を管理するデータベースを制御し、テレワーカのスケジュール情報とテレワーク作業状況を参照して、テレワーカの行動状況を各テレワーカのコミュニケーション支援端末に配信し、コミュニケーション支援端末は、管理サーバから配信されるテレワーカの行動状況を受信し、各テレワーカの忙しさに関する情報、現在所在地に関する情報、勤労意欲に関する情報、およびコミュニケーション意欲に関する情報の少なくとも１つを表示することを特徴とするコミュニケーション支援システムが開示されている。
【先行技術文献】
【特許文献】
【０００３】
【特許文献１】特開２００２−３５１８０５号公報
【発明の概要】
【発明が解決しようとする課題】
【０００４】
本発明は、他の作業者との円滑なコミュニケーションを支援することができるコミュニケーション支援装置及びコミュニケーション支援プログラムを提供することを目的とする。
【課題を解決するための手段】
【０００５】
上記目的を達成するために、請求項１記載のコミュニケーション支援装置の発明は、作業者の作業状態と、前記作業者に対するコミュニケーションのし易さを表すコミュニケーションレベル及び前記作業状態に対応するコミュニケーション手段の少なくとも一方と、の対応関係を表すコミュニケーションレベル情報を作業者毎に管理する管理部と、前記作業者の作業状態を取得して更新する更新部と、前記更新部が更新した前記作業者の作業状態に対応する前記コミュニケーションレベル及び前記コミュニケーション手段の少なくとも一方を送信する送信部と、を備える。
【０００６】
請求項２記載の発明は、前記更新部は、前記作業者が使用する電子機器の状態を取得し、取得した前記作業者が使用する電子機器の状態に基づいて、前記コミュニケーションレベル及び前記作業状態に対応するコミュニケーション手段の少なくとも一方を更新する。
【０００７】
請求項３記載の発明は、前記電子機器は、前記作業者が使用する作業用端末装置であり、前記更新部は、前記作業用端末装置の操作部の操作頻度を前記作業状態として取得する。
【０００８】
請求項４記載の発明は、前記電子機器は、前記作業者が使用する作業用端末装置であり、前記更新部は、前記作業用端末装置と他の作業用端末装置との通信状態を前記作業状態として取得する。
【０００９】
請求項５記載の発明は、前記電子機器は、前記作業者が使用する携帯端末装置であり、  前記更新部は、前記携帯端末装置と他の携帯端末装置との通信状態を前記作業状態として取得する。
【００１０】
請求項６記載の発明は、前記電子機器は、前記作業者が使用する作業用端末及び携帯端末装置を含み、前記更新部は、前記携帯端末装置が前記作業用端末と通信不可の場合は、前記コミュニケーション手段として前記作業用端末による通信を除外する。
【００１１】
請求項７記載の発明は、前記コミュニケーションレベルの設定を受け付ける受付部を備える。
【００１２】
請求項８記載の発明は、前記受付部は、前記コミュニケーションレベルの設定を受け付けてから予め定めた時間が経過した場合に、受け付けた前記コミュニケーションレベルの設定を解除する。
【００１３】
請求項９記載の発明は、前記コミュニケーションレベル情報は、前記作業者毎のスケジュール情報を含み、前記更新部は、前記作業者のスケジュールから前記作業状態を取得し、前記管理部は、前記作業者が使用する業務用端末装置又は携帯端末装置から前記スケジュールの変更が要求された場合は、前記スケジュール情報を変更する。
【００１４】
請求項１０記載の発明のコミュニケーション支援プログラムは、コンピュータを、請求項１〜９の何れか１項に記載のコミュニケーション支援装置の各部として機能させるためのコミュニケーション支援プログラムである。
【発明の効果】
【００１５】
請求項１、１０に記載の発明によれば、他の作業者との円滑なコミュニケーションを支援することができる、という効果を有する。
【００１６】
請求項２に記載の発明によれば、作業者が使用する電子機器の状態に関係なくコミュニケーションレベル及びコミュニケーション手段の少なくとも一方を更新する場合と比較して、コミュニケーションレベル及びコミュニケーション手段の少なくとも一方の更新の信頼度を向上させることができる、という効果を有する。
【００１７】
請求項３に記載の発明によれば、作業用端末装置の操作部の操作頻度に関係なくコミュニケーションレベル及びコミュニケーション手段の少なくとも一方を更新する場合と比較して、コミュニケーションレベル及びコミュニケーション手段の少なくとも一方の更新の信頼度を向上させることができる、という効果を有する。
【００１８】
請求項４に記載の発明によれば、作業用端末装置と他の作業用端末装置との通信状態に関係なくコミュニケーションレベル及びコミュニケーション手段の少なくとも一方を更新する場合と比較して、コミュニケーションレベル及びコミュニケーション手段の少なくとも一方の更新の信頼度を向上させることができる、という効果を有する。
【００１９】
請求項５に記載の発明によれば、携帯端末装置と他の携帯端末装置との通信状態に関係なくコミュニケーションレベル及びコミュニケーション手段の少なくとも一方を更新する場合と比較して、コミュニケーションレベル及びコミュニケーション手段の少なくとも一方の更新の信頼度を向上させることができる、という効果を有する。
【００２０】
請求項６に記載の発明によれば、携帯端末装置が作業用端末と通信不可でもコミュニケーション手段として作業用端末による通信を除外しない場合と比較して、作業者が作業用端末装置の近くに存在しないにもかかわらずコミュニケーション手段として作業用端末による通信が選択されてしまうのを防ぐことができる、という効果を有する。
【００２１】
請求項７に記載の発明によれば、作業者の都合でコミュニケーションレベルを変更できる、という効果を有する。
【００２２】
請求項８に記載の発明によれば、作業者の都合でコミュニケーションレベルが変更されたままになってしまうのを防ぐことができる、という効果を有する。
【００２３】
請求項９に記載の発明によれば、作業者の都合でスケジュール情報を変更することができる、という効果を有する。
【図面の簡単な説明】
【００２４】
【図１】コミュニケーション支援システムの構成図である。
【図２】管理サーバの機能ブロック図である。
【図３】プロフィール情報の一例を示す図である。
【図４】スケジュール情報の一例を示す図である。
【図５】コミュニケーションレベル情報の一例を示す側面図である。
【図６】キーボード入力レベル情報の一例を示す図である。
【図７】作業状態情報の一例を示す図である。
【図８】管理サーバの電気的構成を示す構成図である。
【図９】管理サーバで実行されるコミュニケーション支援処理のフローチャートである。
【図１０】携帯端末装置で実行される処理のフローチャートである。
【図１１】携帯端末装置の表示部に表示される画面の一例を示す図である。
【図１２】携帯端末装置の表示部に表示される画面の一例を示す図である。
【図１３】作業用端末装置で実行される処理のフローチャートである。
【発明を実施するための形態】
【００２５】
以下、図面を参照して、本発明の実施形態について説明する。
【００２６】
図１は、本実施形態におけるコミュニケーション支援システム１０の概略構成を示す図である。コミュニケーション支援システム１０は、例えばオフィスに通勤せずに在宅で作業する所謂テレワークを導入したシステムに好適であるが、オフィスのみで作業するシステムに適用してもよい。
【００２７】
図１に示すように、コミュニケーション支援システム１０は、管理サーバ１２、作業用端末装置１４−１、１４−２、・・・１４−ｎ（ｎは２以上の整数、以下同じ）、携帯端末装置１６−１、１６−２、・・・１６−ｎがインターネット等のネットワーク１８を介して有線接続又は無線接続された構成である。以下では、個々の作業用端末装置を区別しない場合には単に作業用端末装置１４と称する場合がある。また、個々の携帯端末装置を区別しない場合には単に携帯端末装置１６と称する場合がある。なお、管理サーバ１２は、コミュニケーション支援装置の一例である。
【００２８】
作業用端末装置１４及び携帯端末装置１６は作業者毎に割り当てられている。例えば図２に示すように、作業者Ｗ１は作業用端末装置１４−１及び携帯端末装置１６−１を使用し、作業者Ｗ２は作業用端末装置１４−２及び携帯端末装置１６−２を使用し、・・・作業者Ｗｎは作業用端末装置１４−ｎ及び携帯端末装置１６−ｎを使用する。作業者に割り当てられた作業用端末装置１４と携帯端末装置１６とは、例えば公知の近距離無線通信等により接続される。なお、本実施形態では、携帯端末装置１６は、基本的に作業者が仕事をしている場合は常時携行しているものとする。
【００２９】
次に、管理サーバ１２の構成について説明する。
【００３０】
図２に示すように、管理サーバ１２は、機能的には、管理部２０、更新部２２、送信部２４、及び記憶部２６を備える。
【００３１】
管理部２０は、作業者の作業状態と、作業者に対するコミュニケーションのし易さを表すコミュニケーションレベル及び作業状態に対応するコミュニケーション手段の少なくとも一方と、の対応関係を表すコミュニケーションレベル情報を作業者毎に管理する。なお、作業状態とは、作業者が実行している作業の内容をいう。また、コミュニケーション手段とは、作業者同士がコミュニケーションを図るための手段である。
【００３２】
更新部２２は、作業者の作業状態を取得して更新する。作業状態は、例えば作業者のスケジュールに関するスケジュール情報等から取得する。
【００３３】
送信部２４は、更新部２２が更新した作業者の作業状態に対応するコミュニケーションレベル及びコミュニケーション手段の少なくとも一方を送信する。例えば、更新された作業者の作業状態に対応するコミュニケーションレベル及びコミュニケーション手段の少なくとも一方をコミュニケーションレベル情報から取得して作業用端末装置１４及び携帯端末装置１６の少なくとも一方に送信する。これにより、例えば他の作業者が現在どのような状況にあり、どのようなコミュニケーション手段でコミュニケーションが図れるかが把握される。
【００３４】
記憶部２６には、プロフィール情報３０、スケジュール情報３２、コミュニケーションレベル情報３４、キーボード入力レベル情報３６、及び作業状態情報３８等が記憶されている。
【００３５】
図３に示すように、プロフィール情報３０は、作業分類、作業状態、コミュニケーションレベル、の対応関係を表す情報である。プロフィール情報３０は、作業者毎に記憶部２６に記憶される。また、プロフィール情報３０は作業者が任意に設定する。図３に示すように、作業状態の例としては、通常業務、残業、会議、休み時間、及び出張等が挙げられるが、これらに限られるものではない。また、作業状態の例としては、作業分類が通常状態の場合は、キーボード入力、電話中、チャット中、・・・等があるがこれらに限られるものではない。作業分類が残業等の場合も同様である。
【００３６】
また、図３の例では作業状態を作業分類で分類しているが、作業分類を省略してもよい。すなわち、プロフィール情報は、作業状態とコミュニケーションレベルとの対応関係を表す情報を含んでいればよい。
【００３７】
また、コミュニケーションレベルは、本実施形態では一例としてレベル１〜レベル５までの５段階の場合について説明するが、レベルの設定はこれに限られるものではない。なお、レベルの数値が大きいほどコミュニケーションをとりづらい、すなわち作業者が忙しい傾向にあることを表し、レベルの数値が小さいほどコミュニケーションをとりやすい、すなわち作業者が忙しくない傾向にあることを表す。
【００３８】
図４に示すように、スケジュール情報３２は、日時、作業分類、作業状態、及びコミュニケーションレベルの対応関係を表す情報である。スケジュール情報３２は、作業者毎に記憶部２６に記憶される。また、スケジュール情報３２は、作業者が任意に設定する。
【００３９】
図５に示すように、コミュニケーションレベル情報３４は、コミュニケーションレベルとコミュニケーション手段との対応関係を表す情報である。コミュニケーション手段の例としては、図５に示すように、メール、携帯端末装置による通話（以下、携帯通話と称する）、作業用端末装置１４による他の作業用端末装置１４とのチャット（以下、ＰＣチャットと称する）、携帯端末装置１６による他の携帯端末装置１６とのチャット（以下、携帯チャットと称する）等があるが、これらに限られるものではない。なお、チャットとは通信状態の一例であり、作業用端末装置１４又は携帯端末装置１６を用いてネットワーク１８を介してテキストデータ等を送受信することによりコミュニケーションを図る手段である。
【００４０】
前述したように、本実施形態ではコミュニケーションレベルはレベル１〜レベル５の５段階に設定されており、各レベルには説明が対応付けられている。図５の例では、レベル１は「雑談もＯＫ」、レベル２は「業務関連ならＯＫ」、レベル３は「業務集中」、レベル４は「超集中」、レベル５は「話しかけないで」が対応付けられており、レベルの数値が大きくなるに従ってコミュニケーションが取りづらい状況にあることが判る。
【００４１】
図６に示すように、キーボード入力レベル情報３６は、作業用端末装置１４のキーボードの入力レベルとコミュニケーションレベルとの対応関係を表す情報である。ここで、キーボードの入力レベルとは、キーボードの操作頻度を表す情報であり、例えば単位時間当たりのキーボードの操作回数が挙げられるが、これに限られるものではない。図６に示すように、キーボードの入力レベルが高くなるほどコミュニケーションレベルも高くなる。すなわち、キーボードの入力レベルが高くなるほど取り得るコミュニケーション手段が少なくなる。
【００４２】
図７に示すように、作業状態情報３８は、グループ、作業者、作業分類、作業状態、コミュニケーションレベル、及び出勤情報の対応関係を表す情報である。グループは、例えば作業者が属する組織でもよいし、作業者が参加しているプロジェクトでもよい。なお、作業状態情報３８は現在の状態を表しており、逐次更新される。また、作業状態情報３８にコミュニケーションレベルに代えて又はコミュニケーションレベルに加えてコミュニケーション手段を含めてもよい。
【００４３】
図８は、管理サーバ１２のハードウェア構成を示すブロック図である。
【００４４】
管理サーバ１２は、コンピュータとしての機能を有し、ＣＰＵ（Central Processing Unit）１２Ａ、ＲＯＭ（Read Only Memory）１２Ｂ、ＲＡＭ（Random Access Memory）１２Ｃ、不揮発性メモリ１２Ｄ、ハードディスク１２Ｅ、及び通信インターフェース(I/F:Interface)部１２Ｆを有する。そして、ＣＰＵ１２Ａ、ＲＯＭ１２Ｂ、ＲＡＭ１２Ｃ、不揮発性メモリ１２Ｄ、ハードディスク１２Ｅ、および通信インターフェース部１２Ｆは、バス１２Ｇを介して互いに接続されている。
【００４５】
ＣＰＵ１２Ａは、中央演算処理ユニットであり、各種プログラムを実行したり、各部を制御したりする。その際、ＲＡＭ１２Ｃをワークエリアとしてプログラムを実行する。
【００４６】
不揮発性メモリ１２Ｄは、管理サーバ１２の電源をオフにしてもデータ内容が保持されるメモリである。
【００４７】
ハードディスク１２Ｅには、例えば後述するコミュニケーション支援プログラム、プロフィール情報３０、スケジュール情報３２、コミュニケーションレベル情報３４、キーボード入力レベル情報３６、及び作業状態情報３８等が記憶される。
【００４８】
通信インターフェース部１２Ｆは、作業用端末装置１４及び携帯端末装置１６等の電子機器と有線通信又は無線通信を行う。
【００４９】
作業用端末装置１４は、例えばパーソナルコンピュータ等の汎用的なコンピュータで構成される。
【００５０】
携帯端末装置１６は、例えばスマートフォン、携帯電話、タブレット端末、及びウェアラブル端末等の携帯型の端末装置で構成される。
【００５１】
次に、管理サーバ１２で実行されるコミュニケーション支援処理の流れについて図９に示すフローチャートを参照して説明する。なお、図９の処理は、繰り返し実行される。
【００５２】
図９示すように、ステップＳ１００では、携帯端末装置１６から出勤するか欠勤するかの何れかを表す出勤情報を受信したか否かを判定し、出勤情報を受信した場合はステップＳ１０２へ移行し、出勤情報を受信していない場合はステップＳ１０４へ移行する。
【００５３】
ステップＳ１０２では、作業状態情報３８の該当する作業者の出勤情報を出勤又は欠勤に更新する。
【００５４】
ステップＳ１０４では、携帯端末装置１６から指定された作業者又はグループの作業状態情報３８を送信するよう要求されたか否かを判定し、作業状態情報３８の送信が要求された場合はステップＳ１０６へ移行し、作業状態情報３８の送信が要求されていない場合はステップＳ１０８へ移行する。作業者は、携帯端末装置１６を用いて作業者又はグループを指定して作業状態情報３８の送信を管理サーバ１２に要求する。なお、作業者を指定する場合、他の作業者を指定してもよいし、自身を指定してもよい。また、自身が属するグループを指定してもよいし、自身が属しないグループを指定してもよい。グループを指定した場合、指定されたグループに属する作業者を指定したこととなる。
【００５５】
ステップＳ１０６では、指定された作業者の作業状態情報３８を、記憶部２６から読み出して、作業状態情報３８の送信を要求した携帯端末装置１６に送信する。
【００５６】
ステップＳ１０８では、携帯端末装置１６からスケジュール情報３２を送信するよう要求されたか否かを判定し、スケジュール情報３２を送信するよう要求された場合はステップＳ１１０へ移行し、スケジュール情報３２を送信するよう要求されていない場合はステップＳ１１２へ移行する。作業者は、携帯端末装置１６を用いて自身のスケジュール情報３２を送信するよう要求する。
【００５７】
ステップＳ１１０では、要求された作業者のスケジュール情報３２を携帯端末装置１６に送信する。
【００５８】
ステップＳ１１２では、携帯端末装置１６から、変更されたスケジュール情報３２を受信したか否かを判定し、変更されたスケジュール情報３２を受信した場合はステップＳ１１４へ移行し、変更されたスケジュール情報３２を受信していない場合はステップＳ１１６へ移行する。
【００５９】
ステップＳ１１４では、受信したスケジュール情報３２で記憶部２６に記憶されたスケジュール情報３２及び作業状態情報３８を更新する。
【００６０】
ステップＳ１１６では、管理サーバ１２が管理する複数の作業者の各々について作業状態が変化したか否かを判定する。この判定処理には、様々な判定処理が含まれる。
【００６１】
例えば、第１の判定処理として、各作業者のスケジュール情報３２を参照し、作業状態が変化したか否かを判定する。すなわち、現在の作業が継続している場合は作業状態は変化していないと判定し、現在の作業が終了し、次の作業へ移行している場合には作業状態が変化したと判定する。
【００６２】
また、第２の判定処理として、作業用端末装置１４から作業状態を受信したか否かを判定する。例えば、作業用端末装置１４から作業状態としてキーボードの入力レベルを受信したか否かを判定し、キーボードの入力レベルを受信した場合は作業状態が変化したと判定し、キーボードの入力レベルを受信していない場合は作業状態が変化していないと判定する。また、例えば作業用端末装置１４から作業状態としてＰＣチャットの使用状態を受信したか否かを判定し、ＰＣチャットの使用状態を受信した場合は作業状態が変化したと判定し、ＰＣチャットの使用状態を受信していない場合は作業状態が変化していないと判定する。
【００６３】
また、第３の判定処理として、携帯端末装置１６から作業状態を受信したか否かを判定する。例えば、携帯端末装置１６から作業状態として携帯チャットを使用中であることを表す使用情報を受信したか否かを判定し、携帯チャットの使用情報を受信した場合は作業状態が変化したと判定し、携帯チャットの使用情報を受信していない場合は作業状態が変化していないと判定する。また、携帯端末装置１６から作業状態として通話機能を使用中であることを表す使用情報を受信したか否かを判定し、通話機能の使用情報を受信した場合は作業状態が変化したと判定し、通話機能の使用情報を受信していない場合は作業状態が変化していないと判定する。また、携帯端末装置１６から、対応する作業用端末装置１４との通信可否を表す通信可否情報を受信したか否かを判定し、通信可否情報を受信した場合は作業状態が変化したと判定し、通信可否情報を受信していない場合は作業状態が変化していないと判定する。
【００６４】
上記の判定処理のうち、１つでも作業状態が変化したと判定した場合は、ステップＳ１１８へ移行し、上記の判定処理のうち、１つも作業状態が変化していないと判定した場合は本ルーチンを終了する。
【００６５】
ステップＳ１１８では、作業状態が変化した作業者の作業状態情報３８を更新する。すなわち、現在の作業状態に対応するコミュニケーションレベルをプロフィール情報３０から取得し、取得したコミュニケーションレベルで作業状態情報３８を更新する。
【００６６】
例えば、作業者である田中さんの携帯端末装置１６から携帯チャットの使用中であることを示す使用情報を受信した場合は、図７に示すように、作業状態情報３８の作業状態を「チャット中」に更新する。また、図３に示すように、「チャット中」に対応するコミュニケーションレベルは「レベル５」なので、作業状態情報３８のコミュニケーションレベルをレベル５に更新する。
【００６７】
また、例えば携帯端末装置１６から作業用端末装置１４との通信が不可になったことを表す通信可否情報を受信した場合は、携帯端末装置１６が作業用端末装置１４から離れた場所に存在している、すなわち作業者が作業用端末装置１４から離れていることからＰＣチャットが使用不可であると考えられる。この場合は、コミュニケーションレベル情報３４のＰＣチャットの項目を「×」に更新する。すなわち、コミュニケーション手段として作業用端末装置１４によるＰＣチャットを除外する。逆に、携帯端末装置１６から作業用端末装置１４との通信が可になったことを表す通信可否情報を受信した場合は、携帯端末装置１６が作業用端末装置１４の近くに存在している、すなわち作業者が作業用端末装置１４の近くにいることからＰＣチャットが使用可であると考えられる。この場合は、コミュニケーションレベル情報３４のＰＣチャットの項目を「○」に更新する。
【００６８】
次に、携帯端末装置１６で実行される処理について図１０に示すフローチャートを参照して説明する。なお、図１０に示す処理は、詳細は省略するが、ログイン情報を管理サーバ１２に送信してログインを認証された場合に実行され、ログアウトされるまで繰り返し実行される。
【００６９】
図１０に示すように、ステップＳ２００では、出勤情報を送信するよう指示されたか否かを判定する。例えば作業者が在宅でテレワークする場合、携帯端末装置１６を操作して出勤するか否か、すなわちテレワークで作業をするか否かを示す出勤情報を管理サーバ１２に送信する。
【００７０】
そして、作業者の操作により出勤情報を送信するよう指示された場合はステップＳ２０２へ移行し、出勤情報を送信するよう指示されていない場合はステップＳ２０４へ移行する。
【００７１】
ステップＳ２０２では、作業者の操作により出勤するか否かが指定された出勤情報を管理サーバ１２に送信する。
【００７２】
ステップＳ２０４では、作業状態情報３８を要求するよう指示されたか否かを判定し、作業状態情報３８を要求するよう指示された場合はステップＳ２０６へ移行し、作業状態情報３８を要求するよう指示されていない場合はステップＳ２０８へ移行する。
【００７３】
ステップＳ２０６では、作業状態情報３８を送信するよう管理サーバ１２に要求し、管理サーバ１２から送信された作業状態情報３８を受信して携帯端末装置１６の表示部に表示する。例えば同じグループの作業者の作業状態情報３８を要求した場合は、図１１に示すような画面が表示部１６Ａに表示される。図１１に示すように、表示部１６Ａには同じグループの作業者の作業者名、作業状態、コミュニケーションレベル、及びコミュニケーション手段の各情報が表示されている。これにより、他の作業者の作業状態及び取り得るコミュニケーション手段が容易に把握される。
【００７４】
ステップＳ２０８では、作業者の操作により作業者自身のスケジュール情報３２を要求するよう指示されたか否かを判定し、スケジュール情報３２を要求するよう指示された場合はステップＳ２１０へ移行し、スケジュール情報３２を要求するよう指示されていない場合はステップＳ２１２へ移行する。なお、要求するスケジュール情報３２は、現在又は直近のスケジュールに関するものでもよいし、数時間先までのスケジュール、数日先までのスケジュールでもよい。
【００７５】
ステップＳ２１０では、スケジュール情報３２を送信するよう管理サーバ１２に要求し、管理サーバ１２から送信されたスケジュール情報３２を受信して携帯端末装置１６の表示部１６Ａに表示する。これにより、例えば図１２に示すような画面が表示部１６Ａに表示される。図１２の例では、現在の自分のスケジュール情報３２を表示した場合を示した。図１２に示すように、表示部１６Ａには作業者、作業状態、コミュニケーションレベル、及びコミュニケーション手段の各情報が表示されている。作業者は、スケジュール情報３２の各項目について変更の指示が可能である。
【００７６】
このため、ステップＳ２１２では、作業者によりスケジュール情報３２の変更を受け付けたか否かを判定し、スケジュール情報３２の変更を受け付けた場合はステップＳ２１４へ移行し、スケジュール情報の変更が指示されていない場合はステップＳ２１６へ移行する。なお、コミュニケーションレベルの変更を受け付けた場合、管理サーバ１２によりスケジュール情報３２のコミュニケーションレベルが更新されるが、例えばコミュニケーションレベルがレベル５に更新されたままの場合、そのまま放置されるとコミュニケーションが取りづらい状況が継続してしまう。そこで、コミュニケーションレベルが更新されてから予め定めた時間が経過した場合に、変更を受け付けたコミュニケーションレベルの設定を解除して元のコミュニケーションレベルに戻すようにしてもよい。
【００７７】
ステップＳ２１４では、変更されたスケジュール情報３２を管理サーバ１２に送信する。
【００７８】
ステップＳ２１６では、作業状態が変化したか否かを判定する。この判定には様々な判定処理が含まれる。
【００７９】
例えば、携帯チャットの使用状態が変化したか否かを判定する。すなわち、携帯チャットの使用が開始されたか否か及び携帯チャットの使用が終了したか否かを判定する。
【００８０】
また、通話機能の使用状態が変化したか否かを判定する。すなわち、通話機能の使用が開始されたか否か及び通話機能の使用が終了したか否かを判定する。
【００８１】
また、対応する作業用端末装置１４との通信可否が変化したか否かを判定する。すなわち、作業用端末装置１４との通信が通信不可から通信可に変化したか否か及び作業用端末装置１４との通信が通信可から通信不可に変化したか否かを判定する。
【００８２】
そして、作業状態が変化したと判定した場合はステップＳ２１８へ移行し、作業状態が変化していないと判定した場合は本ルーチンを終了する。
【００８３】
ステップＳ２１８では、作業状態を管理サーバ１２に送信する。すなわち、携帯チャットの使用状態が変化した場合は携帯チャットの現在の使用状態を作業状態として管理サーバ１２に送信し、通話機能の使用状態が変化した場合は現在の通話機能の使用状態を作業状態として管理サーバ１２に送信し、作業用端末装置１４との通信可否が変化した場合は、現在の作業用端末装置１４との通信可否を作業状態として管理サーバ１２に送信する。
【００８４】
次に、作業用端末装置１４で実行される処理について図１３に示すフローチャートを参照して説明する。なお、図１３に示す処理は、詳細は省略するが、ログイン情報を管理サーバ１２に送信してログインを認証された場合に実行され、ログアウトされるまで繰り返し実行される。
【００８５】
ステップＳ３００では、キーボードが操作されたか否かを判定し、キーボードが操作された場合はステップＳ３０２へ移行し、キーボードが操作されていない場合はステップＳ３０４へ移行する。
【００８６】
ステップＳ３０２では、キーボードの入力レベル、例えばキーボードの操作頻度を算出し、管理サーバ１２に送信する。
【００８７】
ステップＳ３０４では、ＰＣチャットの使用状態が変化したか否かを判定する。すなわち、ＰＣチャットの使用が開始されたか否か及びＰＣチャットの使用が終了したか否かを判定する。そして、使用状態が変化した場合はステップＳ３０６へ移行し、使用状態が変化していない場合は本ルーチンを終了する。
【００８８】
ステップＳ３０６では、作業状態を管理サーバ１２に送信する。すなわち、ＰＣチャットの使用状態が変化した場合はＰＣチャットの現在の使用状態を作業状態として管理サーバ１２に送信する。
【００８９】
以上、実施形態について説明したが、本発明は上記実施形態に記載の範囲には限定されない。本発明の要旨を逸脱しない範囲で各実施形態に多様な変更または改良を加えることができ、当該変更または改良を加えた形態も本発明の技術的範囲に含まれる。
【００９０】
例えば、図９に示した携帯端末装置１６が実行する処理と同様の処理を作業用端末装置１４が実行してもよい。
【００９１】
また、コミュニケーションレベルが予め定めたレベル以上（例えばレベル４以上）のスケジュールが実行される際に、設定されたコミュニケーションレベルでスケジュールを実行するか否かを事前に確認するための確認情報を管理サーバ１２から携帯端末装置１６に送信し、作業者に確認させるようにしてもよい。この場合、スケジュール及びコミュニケーションレベルの少なくとも一方の変更を受け付けるようにしてもよい。
【００９２】
また、本実施形態では、携帯端末装置１６が作業用端末装置１４と通信可能か否かにより作業者が作業用端末装置１４の近くに存在するか否かを判定しているが、作業用端末装置１４の近くに携帯端末装置１６との接続確認が可能なセンサを設けておき、センサの検知結果により作業者が作業用端末装置１４の近くに存在するか否かを判定するようにしてもよい。
【００９３】
また、携帯端末装置１６として健康状態を検知可能なウェアラブル端末装置を用いた場合には、検知した健康状態に基づいてコミュニケーションレベル及びコミュニケーション手段の少なくとも一方を調整するようにしてもよい。例えば健康状態が悪くなるに従ってコミュニケーションレベルを高くしたり、取り得るコミュニケーション手段を減らしたりするようにしてもよい。
【００９４】
また、本実施形態では、コミュニケーション支援プログラムがハードディスク１２Ｅにインストールされている形態を説明したが、これに限定されるものではない。本実施形態に係るコミュニケーション支援プログラムを、コンピュータ読取可能な記憶媒体に記録した形態で提供してもよい。例えば、本発明に係るコミュニケーション支援プログラムを、ＣＤ(Compact Disc)−ＲＯＭ及びＤＶＤ(Digital Versatile Disc)−ＲＯＭ等の光ディスクに記録した形態、若しくはＵＳＢ(Universal Serial Bus)メモリ及びメモリカード等の半導体メモリに記録した形態で提供してもよい。また、本実施形態に係るコミュニケーション支援プログラムを、通信部Ｉ／Ｆ部１２Ｆに接続された通信回線を介して外部装置から取得するようにしてもよい。
【符号の説明】
【００９５】
１０   コミュニケーション支援システム
１２   管理サーバ
１４   作業用端末装置
１６   携帯端末装置
１８   ネットワーク
２０   管理部
２２   更新部
２４   送信部
２６   記憶部
３０   プロフィール情報
３２   スケジュール情報
３４   コミュニケーションレベル情報
３６   キーボード入力レベル情報
３８   作業状態情報
【図１】
2019185108.tif 000003
【図２】
2019185108.tif 000004
【図３】
2019185108.tif 000005
【図４】
2019185108.tif 000006
【図５】
2019185108.tif 000007
【図６】
2019185108.tif 000008
【図７】
2019185108.tif 000009
【図８】
2019185108.tif 000010
【図９】
2019185108.tif 000011
【図１０】
2019185108.tif 000012
【図１１】
2019185108.tif 000013
【図１２】
2019185108.tif 000014
【図１３】
2019185108.tif 000015